(57)【要約】【課題】演出用の移動部材を簡素な構成で平行移動させる。【解決手段】一組の昇降機構３０Ｌ，３０Ｒは、駆動部の各々の駆動力により回動軸３２を中心に同期して回動可能で支持プレート２４に連結された左右一組のリンクアーム３１を備え、左右一組のリンクアーム３１は、支持プレート２４の係合ピン２７が挿入される係合孔３３と、支持プレート２４の規制ピン２８が挿入される規制孔３５との２箇所で支持プレート２４に連結される。このため、左右一組のリンクアーム３１の回動によって支持プレート２４が移動する際に、各規制ピン２８が各規制孔３５内を摺動することによるガイド力を相互に作用させることで、支持プレート２４の上下方向以外の移動（回動など）を規制して支持プレート２４を平行移動させることができる。【選択図】図８
2018007741.tif 000002
【特許請求の範囲】
【請求項１】
遊技機の演出に用いられる遊技機用演出装置であって、
所定方向に沿って第１位置と第２位置との間を移動可能な移動部材と、
前記移動部材を移動させるための駆動力を発生する駆動手段と、
所定の回動軸で軸支され前記駆動手段の駆動力により前記回動軸を中心に同期して回動可能で、前記移動部材に連結される一組のリンク部材と、
を備え、
前記リンク部材の各々は、
前記回動により前記移動部材を移動させるよう該移動部材に係合する係合部と、
前記回動による前記移動部材の移動が前記第１位置と前記第２位置との間の平行移動となるよう前記所定方向以外の移動を規制する規制部と、により前記移動部材に連結される
ことを特徴とする遊技機用演出装置。
【請求項２】
請求項１に記載の遊技機用演出装置であって、
前記係合部は、前記リンク部材および前記移動部材の一方の部材に設けられた係合凸部と、前記リンク部材および前記移動部材の他方の部材に設けられ前記係合凸部が摺動可能に嵌め込まれる係合凹部とを有し、
前記規制部は、前記リンク部材および前記移動部材の一方の部材に設けられた規制凸部と、前記リンク部材および前記移動部材の他方の部材に設けられ前記規制凸部が摺動可能に嵌め込まれる規制凹部とを有する
ことを特徴とする遊技機用演出装置。
【請求項３】
請求項２に記載の遊技機用演出装置であって、
前記係合凹部は、前記移動部材が前記第１位置と前記第２位置との間を平行移動する際の前記他方の部材に対する前記係合凸部の移動軌跡に応じた形状に形成され、
前記規制凹部は、前記移動部材が前記第１位置と前記第２位置との間を平行移動する際の前記他方の部材に対する前記規制凸部の移動軌跡に応じた形状に形成される
ことを特徴とする遊技機用演出装置。
【請求項４】
請求項１ないし３のいずれか１項に記載の遊技機用演出装置であって、
前記所定方向は、上下方向である
ことを特徴とする遊技機用演出装置。
【発明の詳細な説明】
【技術分野】
【０００１】
本発明は、遊技機用演出装置に関する。
【背景技術】
【０００２】
従来、この種の遊技機用演出装置としては、演出部材が取り付けられた可動ユニットを遊技盤内で上下に移動させるものが提案されている。例えば、特許文献１の演出装置は、上下方向に沿って配置されたラックギヤと、ラックギヤと噛み合うピニオンギヤと、ピニオンギヤを回転させるモータとを有するラックギヤ機構を、可動ユニットの左右両側に備えており、左右のラックギヤ機構を同期させながら駆動して可動ユニットを上下に平行移動させている。
【先行技術文献】
【特許文献】
【０００３】
【特許文献１】特開２０１４−８７６１０号公報
【発明の概要】
【発明が解決しようとする課題】
【０００４】
しかしながら、上述したラックギヤ機構を備える遊技機用演出装置では、可動ユニットの左右両側に、可動ユニットの全移動範囲に亘ってラックギヤ機構の配置スペースを確保する必要がある。特に、長尺のラックギヤを配置するスペースが必要となるため、スペース上の問題が生じることがある。
【０００５】
本発明の遊技機用演出装置は、演出用の移動部材を簡素な構成で平行移動させることを主目的とする。
【課題を解決するための手段】
【０００６】
本発明の遊技機用演出装置は、上述の主目的を達成するために以下の手段を採った。
【０００７】
本発明の遊技機用演出装置は、
遊技機の演出に用いられる遊技機用演出装置であって、
所定方向に沿って第１位置と第２位置との間を移動可能な移動部材と、
前記移動部材を移動させるための駆動力を発生する駆動手段と、
所定の回動軸で軸支され前記駆動手段の駆動力により前記回動軸を中心に同期して回動可能で、前記移動部材に連結される一組のリンク部材と、
を備え、
前記リンク部材の各々は、
前記回動により前記移動部材を移動させるよう該移動部材に係合する係合部と、
前記回動による前記移動部材の移動が前記第１位置と前記第２位置との間の平行移動となるよう前記所定方向以外の移動を規制する規制部と、により前記移動部材に連結される
ことを要旨とする。
【０００８】
本発明の遊技機用演出装置では、所定の回動軸で軸支され駆動手段の駆動力により回動軸を中心に同期して回動可能で、移動部材に連結される一組のリンク部材を備える。このリンク部材の各々は、回動により移動部材を移動させるよう移動部材に係合する係合部と、回動による移動部材の移動が第１位置と第２位置との間の平行移動となるよう所定方向以外の移動を規制する規制部との２箇所で移動部材に連結される。このため、係合部を介した移動部材の移動が所定方向に沿った平行移動となるよう規制部でガイドしつつ、そのガイド力を一組のリンク部材の各規制部により相互に作用させることができる。これにより、移動部材の全移動範囲に亘って移動用の機構やガイドなどを設けるものに比して、第１位置と前記第２位置との間の移動部材の平行移動を簡素な構成で実現することができ、移動部材を平行移動させるための構成の省スペース化を図ることができる。
【０００９】
本発明の遊技機用演出装置において、前記係合部は、前記リンク部材および前記移動部材の一方の部材に設けられた係合凸部と、前記リンク部材および前記移動部材の他方の部材に設けられ前記係合凸部が摺動可能に嵌め込まれる係合凹部とを有し、前記規制部は、前記リンク部材および前記移動部材の一方の部材に設けられた規制凸部と、前記リンク部材および前記移動部材の他方の部材に設けられ前記規制凸部が摺動可能に嵌め込まれる規制凹部とを有するものとすることもできる。こうすれば、係合部や規制部をコンパクトな構成として、省スペース化を容易に実現することができる。
【００１０】
本発明の遊技機用演出装置において、前記係合凹部は、前記移動部材が前記第１位置と前記第２位置との間を平行移動する際の前記他方の部材に対する前記係合凸部の移動軌跡に応じた形状に形成され、前記規制凹部は、前記移動部材が前記第１位置と前記第２位置との間を平行移動する際の前記他方の部材に対する前記規制凸部の移動軌跡に応じた形状に形成されるものとすることもできる。こうすれば、移動部材を第１位置と第２位置との間でスムーズに平行移動させることができる。
【００１１】
本発明の遊技機用演出装置において、前記所定方向は、上下方向であるものとすることもできる。こうすれば、移動部材を昇降させる構成の省スペース化が可能となる。
【発明の効果】
【００１２】
本発明の遊技機用演出装置によれば、演出用の移動部材を簡素な構成で平行移動させることができる。
【図面の簡単な説明】
【００１３】
【図１】本発明の一実施例であるサブ液晶表示装置２０を備える遊技機１の外観を示す外観図である。
【図２】サブ液晶表示装置２０の構成を示す構成図である。
【図３】支持プレート２４の構成を示す構成図である。
【図４】昇降機構３０（３０Ｌ）の正面図である。
【図５】昇降機構３０（３０Ｌ）の下面図である。
【図６】昇降機構３０（３０Ｌ）の斜視図である。
【図７】昇降機構３０の作動の様子を示す説明図である。
【図８】サブ液晶表示装置２０の液晶画面２２が上端位置にある様子を示す説明図である。
【発明を実施するための形態】
【００１４】
次に、本発明の実施の形態を実施例を用いて説明する。
【実施例】
【００１５】
図１は、本発明の一実施例であるサブ液晶表示装置２０を備える遊技機１の外観を示す外観図であり、図２は、サブ液晶表示装置２０の構成を示す構成図であり、図３は、支持プレート２４の構成を示す構成図であり、図４は、昇降機構３０（３０Ｌ）の正面図であり、図５は、昇降機構３０（３０Ｌ）の下面図であり、図６は、昇降機構３０（３０Ｌ）の斜視図である。
【００１６】
遊技機１は、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による入力操作が可能な操作ボタン８と、を備える。
【００１７】
遊技盤３は、遊技領域の右下部に配置された図柄表示装置１１と、遊技領域の中央に配置され各種演出画像を表示するメイン液晶表示装置１２と、メイン液晶表示装置１２の下方に配置され遊技球が入球可能な第１始動口（固定始動口）１３と、第１始動口１３の下方に開閉可能に配置され遊技球が入球可能な第２始動口（可変始動口）１４と、メイン液晶表示装置１２の右下に開閉可能に配置され遊技球が入球可能な大入賞口１５と、遊技領域の下方まで流下した遊技球を回収するためのアウト口１６と、メイン液晶表示装置１２の下方に昇降可能に配置されたサブ液晶表示装置２０が設けられている。このサブ液晶表示装置２０は、メイン液晶表示装置１２の下方の遊技盤３内に収納され遊技者に視認されない下端位置（第１位置、図２に示す位置）と、メイン液晶表示装置１２の前面側に現れて遊技者に視認される上端位置（第２位置）とに移動（昇降）可能となっている。
【００１８】
遊技機１は、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行するパチンコ機として構成されている。また、遊技機１は、特別図柄の変動表示中に、メイン液晶表示装置１２で演出図柄を変動表示させる図柄変動演出を行う。図柄変動演出では、演出図柄の変動表示を伴ってリーチ演出や予告演出、ボタン演出などが行われる。また、図柄変動演出中に、サブ液晶表示装置２０を上端位置に移動させて、サブ液晶表示装置２０を用いた各種画像の表示演出が行われたりする。これらの演出によって、特別図柄が大当り図柄で停止表示される可能性を遊技者に示唆する。
【００１９】
サブ液晶表示装置２０は、図２に示すように、液晶画面２２と、液晶画面２２を支持する支持プレート２４と、支持プレート２４（液晶画面２２）を下端位置と上端位置との間で昇降させる昇降機構３０とを備える。
【００２０】
支持プレート２４は、図３に示すように、円柱状の係合ピン２７と、係合ピン２７よりも小径の円柱状の規制ピン２８とが１本ずつ立設されて、図示しないボルトなどにより液晶画面２２の裏面に取り付けられる左右一組の取付部２５Ｌ，２５Ｒと、両取付部２５Ｌ，２５Ｒを接続する接続部２６とを備える。なお、両取付部２５Ｌ，２５Ｒと接続部２６とは、別々の部材で構成されていてもよいし、一体の部材で構成されていてもよい。また、支持プレート２４を備えずに、昇降機構３０が液晶画面２２に直接取り付けられるものとしてもよい。
【００２１】
昇降機構３０は、支持プレート２４の左右両側に配置された一組の昇降機構３０Ｌ，３０Ｒを備える。各昇降機構３０は、左右対称の同じ構成となっているため、一方の昇降機構３０Ｌを用いてその構成を説明する。昇降機構３０（３０Ｌ）は、図４〜図６に示すように、支持プレート２４の取付部２５Ｌに連結されるリンクアーム３１と、リンクアーム３１を駆動させる駆動部４０とを備える。
【００２２】
リンクアーム３１は、一端側に挿入された回動軸３２に軸支されており、この回動軸３２を中心に円弧状の軌跡を描くように回動可能となっている。また、リンクアーム３１の他端側には、取付部２５Ｌの係合ピン２７が挿入される貫通孔である係合孔３３と、取付部２５Ｌの規制ピン２８が挿入される貫通孔である規制孔３５とが設けられている。なお、係合ピン２７には係合孔３３と摺動可能なカラー部材３４が嵌め込まれ、規制ピン２８には規制孔３５と摺動可能なカラー部材３６が嵌め込まれる。係合孔３３は、回動軸３２を中心とする円弧状の軌跡の径方向に沿って形成された長孔であり、リンクアーム３１の回動によって支持プレート２４が移動する際に係合ピン２７およびカラー部材３４が摺動しながら移動する。また、規制孔３５は、係合孔３３に略平行に形成された長孔部３５ａと、長孔部３５ａにおける回動軸３２側の端部で略Ｖ字状に屈曲するように接続され長孔部３５ａよりも短い長さに形成された短孔部３５ｂとを有し、リンクアーム３１の回動によって支持プレート２４が移動する際に規制ピン２８およびカラー部材３６が摺動しながら移動する。このように、リンクアーム３１は、係合ピン２７（カラー部材３４）が挿入される係合孔３３と、規制ピン２８（カラー部材３６）が挿入される規制孔３５との２箇所で支持プレート２４の取付部２５Ｌに連結される。また、リンクアーム３１の中央左部には、正面視で略三角形状に窪み、円柱状の支持ピン３７ａが立設された窪み部３７が設けられている。
【００２３】
駆動部４０は、例えばステッピングモータとして構成された駆動モータ４１と、駆動モータ４１の回転軸に取り付けられた駆動ギヤ４２と、駆動ギヤ４２と噛み合う伝達ギヤ４３と、伝達ギヤ４３と噛み合う従動ギヤ４４とを備える。また、駆動部４０は、従動ギヤ４４と一体に回転し表面（従動ギヤ４４と反対側の面）の周縁に円柱状の支持ピン４５ａが立設された円盤状のディスクプレート４５と、ディスクプレート４５の支持ピン４５ａとリンクアーム３１の窪み部３７の支持ピン３７ａとにより両端が回動可能に支持された回動用アーム４６とを備える。
【００２４】
各昇降機構３０Ｌ，３０Ｒでは、駆動部４０の駆動モータ４１の駆動により駆動ギヤ４２が回転すると、伝達ギヤ４３を介して従動ギヤ４４が回転し、従動ギヤ４４と共にディスクプレート４５が回転する。ディスクプレート４５の回転運動によって回動用アーム４６が上下方向に往復運動し、回動用アーム４６に支持ピン３７ａを介して接続されたリンクアーム３１を押し上げたり（図４中点線参照）、引き下げたりする（図４中実線参照）。本実施形態では、駆動モータ４１を１８０度ずつ正転または逆転させることにより、リンクアーム３１を回動軸３２を中心として上下方向に回動させる。なお、駆動部４０は、ディスクプレート４５の表面に立設された被検知片４９を、リンクアーム３１が回動範囲の下端にある状態で検知する検知センサ４８を備える。リンクアーム３１が回動範囲の下端にある状態は、液晶画面２２（支持プレート２４）が下端位置にある状態であり、初期状態ともいう。このため、検知センサ４８が被検知片４９を検知することで、液晶画面２２が初期状態（下端位置）にあることを確認することができる。
【００２５】
次に、こうして構成されたサブ液晶表示装置２０の動作について説明する。図７は、昇降機構３０の作動の様子を示す説明図であり、図８は、サブ液晶表示装置２０の液晶画面２２が上端位置にある様子を示す説明図である。図７では、図７（ａ）〜（ｅ）の順に、昇降機構３０が支持プレート２４を上方に移動させていく様子を示す。上述したように、各リンクアーム３１は、支持プレート２４の各取付部２５Ｌ，２５Ｒに２箇所で連結される。このため、各リンクアーム３１が回動すると、係合ピン２７（カラー部材３４）と係合孔３３とによって各取付部２５Ｌ，２５Ｒを移動させつつ、規制ピン２８（カラー部材３６）と規制孔３５とによって各取付部２５Ｌ，２５Ｒの移動をガイドすることができる。また、各取付部２５Ｌ，２５Ｒは、接続部２６によって一体となっており、左右の規制ピン２８（カラー部材３６）が規制孔３５内を摺動することによるガイド力を相互に作用させることができる。これらのことから、リンクアーム３１の回動によって支持プレート２４（各取付部２５Ｌ，２５Ｒ）が移動する際に、上下方向以外の斜め方向などへの支持プレート２４の移動（回動を含む）を規制して、支持プレート２４が左右に傾くのを防止することができる。これにより、各リンクアーム３１が同期して回動するように各駆動モータ４１を駆動することで、支持プレート２４を水平を保ったまま昇降させて、液晶画面２２（支持プレート２４）を上下方向に平行移動させることが可能となる。
【００２６】
また、支持プレート２４が上下方向に平行移動する場合、図７に示すように、各ピンの移動軌跡は、外見上はいずれも上下方向に沿った直線状の軌跡となる。即ち、各係合ピン２７は、直線１Ｌ，１Ｒ上を移動する移動軌跡となり、各規制ピン２８は、直線２Ｌ，２Ｒ上を移動する移動軌跡となる。また、リンクアーム３１からみて、係合ピン２７は、リンクアーム３１の円弧状の軌跡の径方向に沿って直線状に移動（往復）する。即ち、係合ピン２７のリンクアーム３１に対する相対的な移動軌跡は、リンクアーム３１の長手方向に沿った直線状の軌跡となる。また、リンクアーム３１からみて、規制ピン２８は、回動軸３２より上方では係合ピン２７の軌跡と略平行に直線状に移動し、回動軸３２より下方では回動軸３２より上方の軌跡から屈曲して直線状に移動する。即ち、規制ピン２８のリンクアーム３１に対する相対的な移動軌跡は、略つの字状（釣り針状）の軌跡となる。本実施形態では、係合ピン２７の移動軌跡に応じた形状に係合孔３３を形成し、規制ピン２８の移動軌跡に応じた形状に規制孔３５を形成するものとした。このように、各ピンの移動軌跡に応じた孔形状とすることで、支持プレート２４をスムーズに平行移動させることができる。また、各係合ピン２７や各規制ピン２８に、それぞれカラー部材３４，３６が嵌め込まれており、カラー部材３４，３６のフランジ部が係合孔３３や規制孔３５の縁部に摺接することで、各係合ピン２７や各規制ピン２８の傾きを防止するから、支持プレート２４（液晶画面２２）の遊技盤３０の前後方向への倒れを防止することができる。
【００２７】
以上説明した実施例のサブ液晶表示装置２０は、駆動部４０の各々の駆動力により回動軸３２を中心に同期して回動可能で支持プレート２４に連結された左右一組のリンクアーム３１を備え、左右一組のリンクアーム３１は、係合部（支持プレート２４の係合ピン２７（カラー部材３４）と係合孔３３）と、規制部（支持プレート２４の規制ピン２８（カラー部材３６）と規制孔３５）との２箇所で支持プレート２４に連結される。このため、左右一組のリンクアーム３１の回動によって支持プレート２４が移動する際に、規制部によるガイド力を左右相互に作用させることで、支持プレート２４の上下方向以外の移動（回動など）を規制して支持プレート２４を平行移動させることができる。したがって、支持プレート２４の全移動範囲に亘って移動用の機構（ラックギヤ機構など）やガイドなどを設けるものに比して、支持プレート２４の平行移動を簡素な構成で実現して、省スペース化を図ることができる。
【００２８】
また、係合部を係合ピン２７（カラー部材３４）と係合孔３３とにより構成し、規制部を規制ピン２８（カラー部材３６）と規制孔３５とにより構成するから、コンパクトな構成とすることができる。また、係合孔３３は、支持プレート２４が平行移動する際におけるリンクアーム３１に対する係合ピン２７の移動軌跡に応じた形状に形成し、規制孔３５は、支持プレート２４が平行移動する際におけるリンクアーム３１に対する規制ピン２８の移動軌跡に応じた形状に形成するから、支持プレート２４をスムーズに平行移動させることができる。
【００２９】
実施例では、係合ピン２７が支持プレート２４に設けられ、係合孔３３がリンクアーム３１に設けられるものとしたが、係合孔３３が支持プレート２４に設けられ、係合ピン２７がリンクアーム３１に設けられるものとしてもよい。また、規制ピン２８が支持プレート２４に設けられ、規制孔３５がリンクアーム３１に設けられるものとしたが、規制孔３５が支持プレート２４に設けられ、規制ピン２８がリンクアーム３１に設けられるものとしてもよい。また、係合孔３３や規制孔３５は貫通孔として設けるものに限られず、ピンが嵌まる凹部として設けるものであればよく、貫通していない溝としてもよい。また、係合ピン２７や規制ピン２８は円柱状に設けるものに限られず、凹部に嵌まる凸部であればよく、カラー部材を介さずに凹部に直接摺動可能に設けてもよい。また、規制ピン２８が係合ピン２７よりも小径のピンとしたが、これに限られず、同径のピンや大径のピンとしてもよい。
【００３０】
実施例では、初期状態で下端位置にある支持プレート２４（液晶画面２２）が上端位置へ移動するものを例示したが、これに限られず、初期状態で上端位置にある支持プレート２４が下端位置へ移動するものとしてもよい。また、上下方向に移動（昇降）するものに限られず、左右方向に移動するものとしてもよいし、斜め方向に移動するものとしてもよい。
【００３１】
実施例では、液晶画面２２が支持プレート２４に取り付けられるものとしたが、これに限られず、装飾が施された演出部材や作動部を有する可動部材などが支持プレート２４に取り付けられるものとしてもよい。また、それらの演出部材や可動部材などが支持プレート２４を介して各リンクアーム３１に連結されるものに限られず、演出部材や可動部材が各リンクアーム３１に直接連結されるものとし、支持プレート２４を省略してもよい。
【００３２】
実施例では、支持プレート２４の各取付部２５Ｌ，２５Ｌが接続部２６によって一体に接続されるものとしたが、各取付部２５Ｌ，２５Ｌは一の液晶画面２２に取り付けられることによっても一体となるから、接続部２６を省略してもよい。
【００３３】
実施例では、各リンクアーム３１（リンク部材）をそれぞれ駆動させるための駆動モータ４１を二つ備えるもの、即ち、一組のリンク部材の各々を駆動させる一組の駆動部を備えるものとしたが、これに限られず、共通の駆動部（一の駆動モータ４１）により一組のリンク部材を駆動させるものとしてもよい。そのようにする場合、一組の昇降機構３０Ｌ，３０Ｒの各ディスクプレート４５をベルトにより駆動可能な従動プーリとして構成する。そして、一の駆動モータ４１の回転軸に取り付けた駆動プーリと、一方の昇降機構３０（例えば、昇降機構３０Ｒ）のディスクプレート４５（従動プーリ）とにベルトを巻回し、駆動モータ４１の回転と同方向に一方の昇降機構３０（昇降機構３０Ｒ）のディスクプレート４５を回転させてリンクアーム３１を回動させる。また、駆動プーリに組み入れた駆動ギヤ（または駆動モータ４１の回転軸に取り付けた駆動ギヤ）と伝達ギヤとの噛み合いを介して駆動モータ４１の回転が逆方向の回転として伝達される伝達プーリと、他方の昇降機構３０（例えば、昇降機構３０Ｌ）のディスクプレート４５（従動プーリ）とにベルトを巻回し、駆動モータ４１の回転と逆方向に一方の昇降機構３０（例えば、昇降機構３０Ｌ）のディスクプレート４５を回転させてリンクアーム３１を回動させる。このようにすることで、一の駆動モータ４１により左右一組のリンクアーム３１を回動させて、実施例と同様に、支持プレート２４を平行移動させることができる。
【００３４】
実施例では、一組の昇降機構３０Ｌ，３０Ｒ（一組の駆動部４０および一組のリンクアーム３１など）を備えるものを例示したが、少なくとも一組の昇降機構３０Ｌ，３０Ｒを備えるものであればよく、昇降機構を複数組備えるものであってもよい。
【００３５】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００３６】
実施例の主要な要素と課題を解決するための手段の欄に記載した発明の主要な要素との対応関係について説明する。実施例では、サブ液晶表示装置２０が「遊技機用演出装置」に相当し、支持プレート２４（取付部２５Ｌ，２５Ｒ）が「移動部材」に相当し、駆動部４０（駆動モータ４１）が「駆動手段」に相当し、リンクアーム３１が「リンク部材」に相当し、係合ピン２７（カラー部材３４）と係合孔３３とが「係合部」に相当し、規制ピン２８（カラー部材３６）と規制孔３５とが「規制部」に相当する。また、係合ピン２７（カラー部材３４）が「係合凸部」に相当し、係合孔３３が「係合凹部」に相当し、規制ピン２８（カラー部材３６）が「規制凸部」に相当し、規制孔３５が「規制凹部」に相当する。
【００３７】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【符号の説明】
【００３８】
１  遊技機、２  本体、３  遊技盤、４  スピーカ、５  上受け皿、６  下受け皿、７  発射ハンドル、８  操作ボタン、１１  図柄表示装置、１２  メイン液晶表示装置、１３  第１始動口、１４  第２始動口、１５  大入賞口、１６  アウト口、２０  サブ液晶表示装置、２２  液晶画面、２４  支持プレート、２５Ｌ，２５Ｒ  取付部、２６  接続部、２７  係合ピン、２８  規制ピン、３０，３０Ｌ，３０Ｒ  昇降機構、３１  リンクアーム、３２  回動軸、３３  係合孔、３４  カラー部材、３５  規制孔、３５ａ  長孔部、３５ｂ  短孔部、３６  カラー部材、３７  窪み部、３７ａ  支持ピン、４０  駆動部、４１  駆動モータ、４２  駆動ギヤ、４３  伝達ギヤ、４４  従動ギヤ、４５  ディスクプレート、４５ａ  支持ピン、４６  回動用アーム、４８  検知センサ、４９  被検知片。
【図１】
2018007741.tif 000003
【図２】
2018007741.tif 000004
【図３】
2018007741.tif 000005
【図４】
2018007741.tif 000006
【図５】
2018007741.tif 000007
【図６】
2018007741.tif 000008
【図７】
2018007741.tif 000009
【図８】
2018007741.tif 000010